(57)【特許請求の範囲】
【請求項１】
給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられており、上記給湯熱交換器で作られた湯を給湯通路を通して供給する給湯運転機能と、上記循環ポンプを駆動させて上記熱媒体を上記非給湯側循環通路の非給湯側熱交換器を通して加熱する非給湯側運転機能を有する一缶二水路給湯器において、給湯の出湯温度を検出する給湯出湯温度検出手段と、給湯単独運転中であって上記給湯出湯温度検出手段の検出温度と給湯設定温度との差が予め定められた許容範囲内のときに非給湯側運転指示を受けたときに行われる上記循環ポンプの駆動以前のバーナーへのフィードバック供給ガス量をポンプ駆動前フィードバックガス量とし循環ポンプ駆動以降であって上記給湯出湯温度検出手段の検出温度が給湯設定温度となった以降のバーナーへのフィードバック供給ガス量をポンプ駆動後フィードバックガス量として該ポンプ駆動後フィードバックガス量を上記ポンプ駆動前フィードバックガス量と比較し、ポンプ駆動後フィードバックガス量とポンプ駆動前フィードバックガス量との差が非給湯側循環通路の熱媒体の流れのないことを判断する予め定めた基準ガス量以下のときには非給湯側循環通路の熱媒体の流れがないと判断し、ポンプ駆動後フィードバックガス量とポンプ駆動前フィードバックガス量との差が非給湯側循環通路の熱媒体の流れのあることを判断する予め定めた基準ガス量を越えて大きいときには非給湯側循環通路の熱媒体の流れがあると判断する非給湯側流れ有無判断部を設けたことを特徴とする一缶二水路給湯器。
【請求項２】
給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられており、上記給湯熱交換器で作られた湯を給湯通路を通して供給する給湯運転機能と、上記循環ポンプを駆動させて上記熱媒体を上記非給湯側循環通路の非給湯側熱交換器を通して加熱する非給湯側運転機能を有する一缶二水路給湯器において、給湯の出湯温度を検出する給湯出湯温度検出手段と、給湯単独運転中であって上記給湯出湯温度検出手段の検出温度と給湯設定温度との差が予め定められた許容範囲内のときに非給湯側循環通路の熱媒体の流れの有無を検出する非給湯側流れ有無判断モードを有し、該非給湯側流れ有無判断モードの動作指令を受けて上記循環ポンプを駆動させるポンプ駆動制御部と、該循環ポンプ駆動以前のバーナーへのフィードバック供給ガス量をポンプ駆動前フィードバックガス量とし循環ポンプ駆動以降であって上記給湯出湯温度検出手段の検出温度が給湯設定温度となった以降のバーナーへのフィードバック供給ガス量をポンプ駆動後フィードバックガス量として該ポンプ駆動後フィードバックガス量を上記ポンプ駆動前フィードバックガス量と比較し、ポンプ駆動後フィードバックガス量とポンプ駆動前フィードバックガス量との差が非給湯側循環通路の熱媒体の流れのないことを判断する予め定めた基準ガス量以下のときには非給湯側循環通路の熱媒体の流れがないと判断し、ポンプ駆動後フィードバックガス量とポンプ駆動前フィードバックガス量との差が非給湯側循環通路の熱媒体の流れのあることを判断する予め定めた基準ガス量を越えて大きいときには非給湯側循環通路の熱媒体の流れがあると判断する非給湯側流れ有無判断部を設けたことを特徴とする一缶二水路給湯器。
【請求項３】
非給湯側流れ有無判断部により非給湯側循環通路の熱媒体の流れがないと判断されたときには非給湯側異常信号を出力する非給湯側運転異常判断部が設けられていることを特徴とする請求項１又は請求項２記載の一缶二水路給湯器。
【請求項４】
非給湯側運転異常判断部から非給湯側異常信号が出力されたときに非給湯側運転を強制的に停止させる非給湯側強制停止手段が設けられていることを特徴とする請求項３記載の一缶二水路給湯器。
【請求項５】
非給湯側運転異常判断部から非給湯側異常信号が出力されたときに非給湯側の運転の異常を報知する非給湯側異常報知手段が設けられていることを特徴とする請求項３又は請求項４記載の一缶二水路給湯器。
【請求項６】
給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられており、上記給湯熱交換器で作られた湯を給湯通路を通して供給する給湯運転機能と、上記循環ポンプを駆動させて上記熱媒体を上記非給湯側循環通路の非給湯側熱交換器を通して加熱する非給湯側運転機能を有する一缶二水路給湯器において、給湯の出湯温度を検出する給湯出湯温度検出手段と、上記非給湯側循環通路の熱媒体の温度を検出する非給湯側熱媒体温度検出手段と、給湯単独運転中であって上記給湯出湯温度検出手段の検出温度と給湯設定温度との差が予め定められた許容範囲内のときに非給湯側運転指示を受けたときに行われる上記循環ポンプの駆動以前のバーナーへのフィードバック供給ガス量であるポンプ駆動前フィードバックガス量と循環ポンプ駆動以降であって上記給湯出湯温度検出手段の検出温度が給湯設定温度となった以降のバーナーへのフィードバック供給ガス量であるポンプ駆動後フィードバックガス量との差と上記非給湯側循環通路の熱媒体の循環流量との関係データが該非給湯側循環通路の熱媒体の温度に対応させて予め与えられており、ポンプ駆動前フィードバックガス量およびポンプ駆動後フィードバックガス量を検出し、検出したポンプ駆動前フィードバックガス量とポンプ駆動後フィードバックガス量と上記関係データと非給湯側熱媒体温度検出手段で検出した非給湯側循環通路の熱媒体の温度とに基づいて非給湯側循環通路の熱媒体循環流量を検出する循環流量検出手段を有することを特徴とする一缶二水路給湯器。
【請求項７】
非給湯側運転指示が与えられてから循環流量検出手段によって検出される非給湯側循環通路の熱媒体の循環流量が予め定められた作動流量以上となったことを最初に確認したときに非給湯側燃焼ランプを報知動作させて該報知動作を非給湯側運転終了まで動作させる非給湯側ランプ作動手段を設けたことを特徴とする請求項６記載の一缶二水路給湯器。
【請求項８】
ポンプ駆動後フィードバックガス量はフィードバック格納メモリに格納される構成とし、該フィードバック格納メモリに格納されているポンプ駆動後フィードバックガス量を非給湯側運転終了以降にクリアするフィードバック量クリア手段を設けたことを特徴とする請求項１又は請求項３乃至請求項７のいずれか１つに記載の一缶二水路給湯器。
【請求項９】
非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転としたことを特徴とする請求項１乃至請求項８のいずれか１つに記載の一缶二水路給湯器。
【発明の詳細な説明】
【０００１】
【発明の属する技術分野】
本発明は、給湯熱交換器と追い焚き熱交換器等の非給湯側熱交換器が一体化され、その一体化した熱交換器を共通のバーナーで加熱する一缶二水路給湯器に関するものである。
【０００２】
【従来の技術】
図８には本出願人らが開発している一缶二水路給湯器の一例である一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と非給湯側熱交換器としての追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して追い焚き熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡するバイパス通路１５が設けられており、上記バイパス通路１５には通路の開閉を行うバイパス弁１６が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と循環ポンプ２０と管路１８と追い焚き熱交換器４と管路２３により非給湯側循環通路としての追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を検出する水位センサ２８とが設けられている。
【０００８】
なお、図中に示す３０は燃焼室１内の風量を検出する風量センサであり、３１は給水通路１３に設けられて給水の流量を検出する水量センサであり、３２は給水通路１３の水の温度を検出する入水温度センサであり、３４は給湯通路１４に設けられて通水流量を制御する流量制御弁であり、３５は給湯通路１４に設けられて給湯が行われていることを水流により検出する給湯確認スイッチであり、３６は追い焚き循環通路２４の水流の有無を検出する流水スイッチであり、３７は追い焚き循環通路２４を循環する熱媒体である湯水の温度を浴槽湯水の温度（風呂温度）として検出する非給湯側熱媒体温度検出手段としての風呂温度センサであり、３８は給湯熱交換器３で作り出された給湯の出湯温度を検出する給湯出湯温度検出手段としての出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段等が設けられている。
【００１０】
上記制御装置４０は各種センサのセンサ出力信号やリモコン４１の情報を取り込み、それら情報と予め与えられているシーケンスプログラムに従って、給湯運転や、湯張り運転や、追い焚き運転等の各種の器具運転の動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温が前記給湯温度設定手段に設定されている給湯設定温度となるように比例弁１２の開弁量を制御して（バーナー２への供給ガス量を制御して）バーナー２の燃焼能力を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯運転を終了し次の給湯に備える。
【００１４】
湯張り運転を行うときには、例えば、注湯制御弁２６を開弁し、この注湯制御弁２６の開弁動作により水供給源から給水通路１３に水が流れ込んで水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。そして、水位センサ２８が検出する浴槽２２の水位がリモコン４１に設定されている設定水位に達したときに、注湯制御弁２６を閉じ、電磁弁１０を閉じてバーナー２の燃焼を停止させ、湯張り運転を終了する。
【００１６】
追い焚き運転を行うときには、循環ポンプ２０を駆動させて熱媒体としての浴槽２２内の湯水を追い焚き循環通路２４を通して循環させ、流水スイッチ３６によって追い焚き循環通路２４の湯水の流れを検知した後、バーナー２の燃焼を開始させる。そして、バーナー２の燃焼火炎により追い焚き熱交換器４の循環湯水を加熱して追い焚きを行い、風呂温度センサ３７により検出される風呂温度が前記風呂温度設定手段により設定されている設定温度に達したときに、バーナー２の燃焼を停止させ、追い焚き運転を終了する。
【００１７】
前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減が図れることになる。
【００１８】
また、図９,１０には、一缶二水路給湯器としての給湯暖房機の例が示されており、これらの図において、図８の一缶二水路風呂給湯器と同一名称部分には同一符号が付してある。また、図中、５７は非給湯側熱交換器としての暖房用熱交換器を示しており、５２（５２ａ，５２ｂ，５２ｃ）は暖房オン・オフバルブ、５３（５３ａ，５３ｂ,５３ｃ）は放熱器、５４（５４ａ，５４ｂ，５４ｃ）はファン、５５はシスターンタンク、５６はバイパス通路をそれぞれ示している。暖房用循環通路５１を循環する熱媒体としては、例えば、エチレングリコールとプロピレングリコールに水を加えたものが用いられる。
【００１９】
【発明が解決しようとする課題】
ところで、一缶二水路風呂給湯器において、追い焚き運転を行うときには、従来は、前記の如く、循環ポンプ２０の駆動により浴槽２２内の湯水を追い焚き循環通路２４を通して循環させて、この湯水の流れを流水スイッチ３６によって検知した後、バーナー２の燃焼を開始させているが、追い焚き循環通路２４を通る浴槽湯水には髪等のゴミが多く含まれており、流水スイッチ３６に髪等のゴミが絡み付き、故障することがよくあるために、できれば流水スイッチ３６を用いずに追い焚き循環通路２４の湯水の流れを検知したいといった要求があった。
【００２０】
また、上記のような一缶二水路タイプの風呂給湯器においては、例えば、追い焚き熱交換器４側と給湯熱交換器３側の吸熱比率に基づいて、給湯と風呂の追い焚きの同時燃焼時の燃焼制御が行われるために、追い焚き循環通路２４を通る湯水の循環流量を検出したいといった要求があり、追い焚き循環通路２４の湯水循環流量をボール式水量センサにより測定する方法等が以前に提案されているが、このようなセンサは、前記流水スイッチ３６と同様に、浴槽湯水中のゴミが絡み付くと故障し易く、測定される浴槽湯水の循環流量が不正確な値になりがちであった。
【００２１】
本発明は上記課題を解決するためになされたものであり、その目的は、追い焚き循環通路の湯水の流れの有無、及び循環流量を正確に検出することができる一缶二水路風呂給湯器を提供し、さらには、非給湯側循環通路の熱媒体の流れの有無、及び循環流量を正確に検出することができる一缶二水路給湯器を提供することにある。
【００２２】
【課題を解決するための手段】
上記目的を達成するために、本発明は次のような構成をもって課題を解決するための手段としている。すなわち、本第１の発明は、給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられており、上記給湯熱交換器で作られた湯を給湯通路を通して供給する給湯運転機能と、上記循環ポンプを駆動させて上記熱媒体を上記非給湯側循環通路の非給湯側熱交換器を通して加熱する非給湯側運転機能を有する一缶二水路給湯器において、給湯の出湯温度を検出する給湯出湯温度検出手段と、給湯単独運転中であって上記給湯出湯温度検出手段の検出温度と給湯設定温度との差が予め定められた許容範囲内のときに非給湯側運転指示を受けたときに行われる上記循環ポンプの駆動以前のバーナーへのフィードバック供給ガス量をポンプ駆動前フィードバックガス量とし循環ポンプ駆動以降であって上記給湯出湯温度検出手段の検出温度が給湯設定温度となった以降のバーナーへのフィードバック供給ガス量をポンプ駆動後フィードバックガス量として該ポンプ駆動後フィードバックガス量を上記ポンプ駆動前フィードバックガス量と比較し、ポンプ駆動後フィードバックガス量とポンプ駆動前フィードバックガス量との差が非給湯側循環通路の熱媒体の流れのないことを判断する予め定めた基準ガス量以下のときには非給湯側循環通路の熱媒体の流れがないと判断し、ポンプ駆動後フィードバックガス量とポンプ駆動前フィードバックガス量との差が非給湯側循環通路の熱媒体の流れのあることを判断する予め定めた基準ガス量を越えて大きいときには非給湯側循環通路の熱媒体の流れがあると判断する非給湯側流れ有無判断部を設けた構成をもって課題を解決するための手段としている。
【００２３】
また、本第２の発明は、給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられており、上記給湯熱交換器で作られた湯を給湯通路を通して供給する給湯運転機能と、上記循環ポンプを駆動させて上記熱媒体を上記非給湯側循環通路の非給湯側熱交換器を通して加熱する非給湯側運転機能を有する一缶二水路給湯器において、給湯の出湯温度を検出する給湯出湯温度検出手段と、給湯単独運転中であって上記給湯出湯温度検出手段の検出温度と給湯設定温度との差が予め定められた許容範囲内のときに非給湯側循環通路の熱媒体の流れの有無を検出する非給湯側流れ有無判断モードを有し、該非給湯側流れ有無判断モードの動作指令を受けて上記循環ポンプを駆動させるポンプ駆動制御部と、該循環ポンプ駆動以前のバーナーへのフィードバック供給ガス量をポンプ駆動前フィードバックガス量とし循環ポンプ駆動以降であって上記給湯出湯温度検出手段の検出温度が給湯設定温度となった以降のバーナーへのフィードバック供給ガス量をポンプ駆動後フィードバックガス量として該ポンプ駆動後フィードバックガス量を上記ポンプ駆動前フィードバックガス量と比較し、ポンプ駆動後フィードバックガス量とポンプ駆動前フィードバックガス量との差が非給湯側循環通路の熱媒体の流れのないことを判断する予め定めた基準ガス量以下のときには非給湯側循環通路の熱媒体の流れがないと判断し、ポンプ駆動後フィードバックガス量とポンプ駆動前フィードバックガス量との差が非給湯側循環通路の熱媒体の流れのあることを判断する予め定めた基準ガス量を越えて大きいときには非給湯側循環通路の熱媒体の流れがあると判断する非給湯側流れ有無判断部を設けた構成を課題を解決するための手段としている。
【００２４】
さらに、非給湯側流れ有無判断部により非給湯側循環通路の熱媒体の流れがないと判断されたときには非給湯側異常信号を出力する非給湯側運転異常判断部が設けられていることも上記本第１，第２の発明の特徴的な構成とされている。
【００２５】
さらに、上記非給湯側運転異常判断部から非給湯側異常信号が出力されたときに非給湯側運転を強制的に停止させる非給湯側強制停止手段が設けられていること、上記非給湯側運転異常判断部から非給湯側異常信号が出力されたときに非給湯側の運転の異常を報知する非給湯側異常報知手段が設けられていることも上記本第１，第２の発明の特徴的な構成とされている。
【００２６】
さらに、本第３の発明は、給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられており、上記給湯熱交換器で作られた湯を給湯通路を通して供給する給湯運転機能と、上記循環ポンプを駆動させて上記熱媒体を上記非給湯側循環通路の非給湯側熱交換器を通して加熱する非給湯側運転機能を有する一缶二水路給湯器において、給湯の出湯温度を検出する給湯出湯温度検出手段と、上記非給湯側循環通路の熱媒体の温度を検出する非給湯側熱媒体温度検出手段と、給湯単独運転中であって上記給湯出湯温度検出手段の検出温度と給湯設定温度との差が予め定められた許容範囲内のときに非給湯側運転指示を受けたときに行われる上記循環ポンプの駆動以前のバーナーへのフィードバック供給ガス量であるポンプ駆動前フィードバックガス量と循環ポンプ駆動以降であって上記給湯出湯温度検出手段の検出温度が給湯設定温度となった以降のバーナーへのフィードバック供給ガス量であるポンプ駆動後フィードバックガス量との差と上記非給湯側循環通路の熱媒体の循環流量との関係データが該非給湯側循環通路の熱媒体の温度に対応させて予め与えられており、ポンプ駆動前フィードバックガス量およびポンプ駆動後フィードバックガス量を検出し、検出したポンプ駆動前フィードバックガス量とポンプ駆動後フィードバックガス量と上記関係データと非給湯側熱媒体温度検出手段で検出した非給湯側循環通路の熱媒体の温度とに基づいて非給湯側循環通路の熱媒体循環流量を検出する循環流量検出手段を有する構成を持って課題を解決するための手段としている。
【００２７】
さらに、非給湯側運転指示が与えられてから循環流量検出手段によって検出される非給湯側循環通路の熱媒体の循環流量が予め定められた作動流量以上となったことを最初に確認したときに非給湯側燃焼ランプを報知動作させて該報知動作を非給湯側運転終了まで動作させる非給湯側ランプ作動手段を設けたことも本第３の発明の特徴的な構成とされている。
【００２８】
さらに、上記ポンプ駆動後フィードバックガス量はフィードバック格納メモリに格納される構成とし、該フィードバック格納メモリに格納されているポンプ駆動後フィードバックガス量を非給湯側運転終了以降にクリアするフィードバック量クリア手段を設けたことも上記第１，第３の発明の特徴的な構成とされている。
【００２９】
さらに、上記非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転としたことも上記第１，第２，第３の発明の特徴的な構成とされている。
【００３０】
例えば一缶二水路風呂給湯器などの一缶二水路給湯器においては、非給湯側循環通路の非給湯側熱交換器と給湯熱交換器とは一体化されているので、給湯単独運転中に非給湯側循環通路の熱媒体を循環させると、この熱媒体は給湯熱交換器の湯から熱量を奪う。そのため、上記構成の本発明において、給湯単独運転中であって給湯出湯温度検出手段の検出温度と給湯設定温度との差が予め定められた許容範囲内の時に、非給湯側循環通路に設けられている循環ポンプを駆動させると、非給湯側循環通路の熱媒体が給湯熱交換器の湯から熱量を奪う。
【００３１】
そうすると、給湯器は、給湯出湯温度が給湯設定温度となるようにバーナーのフィードバック供給ガス量を増加させる方向に制御することになるが、非給湯側循環通路に熱媒体がない、又は熱媒体の流れがない時には、非給湯側循環通路の熱媒体によって給湯熱交換器の湯から熱量が奪われることはないために、このフィードバック供給ガス量の増加制御は行われないことになる。
【００３２】
上記構成の本第１，第２の発明においては、非給湯側流れ有無判断部を設け、給湯単独運転中の上記循環ポンプ駆動以前のバーナーへのフィードバック供給ガス量と、循環ポンプ駆動以降であって給湯出湯温度検出手段の検出温度が給湯設定温度となった以降のバーナーへのフィードバック供給ガス量との差と、予め定めた基準ガス量とに基づいて非給湯側循環通路の熱媒体の流れの有無を判断するため、例えば追い焚き循環通路などの非給湯側循環通路内の髪等のゴミの影響を受けることなく非給湯側循環通路の熱媒体の流れの有無を正確に判断することが可能となり、上記課題が解決される。
【００３３】
また、本第３の発明においては、上記フィードバック供給ガス量の差と非給湯側循環通路の熱媒体の循環流量との関係データを非給湯側循環通路の熱媒体の温度に対応させて予め与え、この関係データと検出される上記フィードバック供給ガス量の差と非給湯側熱媒体温度検出手段によって検出される非給湯側循環通路の熱媒体の温度とに基づいて非給湯側循環通路の熱媒体の循環流量を検出することにより、上記本第１，第２の発明と同様に追い焚き循環通路などの非給湯側循環通路内の髪等のゴミに左右されることなく、非給湯側循環通路の熱媒体の循環流量を検出することが可能となり、上記課題が解決される。
【００３４】
【発明の実施の形態】
以下、本発明の実施の形態を図面に基づいて説明する。なお、本実施形態例の説明において、上記提案例の給湯器と同一名称部分には同一符号を付し、その重複説明は省略する。本実施形態例の一缶二水路給湯器は一缶二水路風呂給湯器であり、図８に示した提案例の一缶二水路風呂給湯器とほぼ同様のシステム構成を有しているが、本実施形態例では、図８において追い焚き循環通路２４に設けられていた流水スイッチ３６を省略して一缶二水路風呂給湯器のシステムを構成している。
【００３５】
図１には、第１実施形態例の特有な制御構成がブロック図により示されている。同図に示すように、本実施形態例において、制御装置４０は、ポンプ駆動制御部３９，フィードバック格納メモリ５９，データ格納部４４，追い焚き循環通路水流判断部４３，燃焼制御部４２，追い焚き強制停止手段４５，追い焚き異常判断部４６，フィードバック量クリア手段５８を有して構成されている。また、リモコン４１には、追い焚き異常報知手段５０が設けられている。
【００３６】
燃焼制御部４２には、給湯や追い焚き等の様々な運転のシーケンスプログラムが与えられており、燃焼制御部４２は、リモコン４１の情報や出湯温度センサ３８等のセンサ出力を取り込んで、それら取り込んだ情報とシーケンスプログラムに従って給湯器の燃焼運転動作を制御する。
【００３７】
ポンプ駆動制御部３９は、給湯器が非給湯側運転としての追い焚き運転を行わず給湯運転のみを行う給湯単独運転中であって、出湯温度センサ３８の検出温度と給湯設定温度との差が、例えば２℃といった予め定められた許容範囲内の時に、非給湯側運転指示である追い焚き運転指示を受けた時に、循環ポンプ２０を駆動させるものである。ポンプ駆動制御部３９は燃焼制御部４２の制御情報を取り込み、それにより、給湯単独運転中であって出湯温度センサ３８の検出温度と給湯設定温度との差が前記許容範囲内の時に追い焚き運転指示を受けた時に、循環ポンプ２０を駆動させる。この循環ポンプ駆動信号は、燃焼制御部４２と追い焚き循環通路水流判断部４３に加えられる。
【００３８】
フィードバック格納メモリ５９は、ポンプ駆動制御部３９による循環ポンプ２０の駆動以前のバーナー２へのフィードバック供給ガス量であるポンプ駆動前フィードバックガス量と、上記循環ポンプ２０の駆動以降であって、出湯温度センサ３８の検出温度が給湯設定温度となった以降のバーナー２へのフィードバック供給ガス量であるポンプ駆動後フィードバックガス量を格納するメモリである。フィードバック格納メモリ５９には、燃焼制御部４２から時々刻々とフィードバック供給ガス量の値が加えられ、この値は、ポンプ駆動制御部３９による循環ポンプ２０の駆動前と駆動後とで区分けされて、それぞれフィードバック格納メモリ５９に格納される。
【００３９】
データ格納部４４には、追い焚き循環通路２４の湯水の流れがないことを判断する予め定めた基準ガス量と、追い焚き循環通路２４の湯水の流れがあること判断する予め定めた基準ガス量とが格納されている。なお、本実施形態例では、これら両基準ガス量をともに等しい値α（α≒０）に設定しているが、これら基準ガス量を互いに異なる値に設定することもできる。この基準ガス量は、例えば実験などによって求められてデータ格納部４４に与えられるものである。
【００４０】
すなわち、一缶二水路給湯器においては、給湯熱交換器３と追い焚き熱交換器４とが一体化されており、追い焚き循環通路２４を循環する湯水は、給湯熱交換器３内の湯から熱量を奪うために、上記ポンプ駆動制御部３９によって、給湯単独運転中であって出湯温度センサ３８の検出温度と給湯設定温度との差が上記許容範囲内の時に循環ポンプ２０を駆動させると、追い焚き循環通路２４内の湯水の流れがある場合には、例えば図２の（ｂ）の特性線ａに示すように、給湯出湯温度が変動し、一方追い焚き循環通路２４内に湯水がない、又は湯水の流れがない時には、同図の特性線ｂに示すように、給湯出湯温度の変化が生じない。
【００４１】
そして、給湯器においては、燃焼制御部４２によって、給湯出湯温度がリモコン４１の給湯設定温度となるようにバーナ２へのフィードバック供給ガス量の制御が行われるために、追い焚き循環通路２４内の湯水の流れがあって給湯出湯温度に変化が生じる時には、図２の（ａ）の特性線ａに示すように、この給湯出湯温度の変化を打ち消す為に、バーナー２へのフィードバック供給ガス量を増加させる方向にガス量制御が行われる。そして、それにより、バーナー２への供給ガス量は増加し、上記ポンプ駆動後フィードバックガス量とポンプ駆動前フィードバックガス量との差（ΔＦ／Ｂ量）が生じる。
【００４２】
一方、追い焚き循環通路２４内に湯水がない、又は湯水の流れがない場合には、上記循環ポンプ２０の駆動による給湯出湯温度変化がないために、上記のようなバーナー２へのフィードバック供給ガス量の増加制御は行われず、同図の特性線ｂに示すように、バーナー２への供給ガス量は、循環ポンプ２０の駆動以前と駆動後とでほぼ等しい値になる。
【００４３】
なお、図２の（ａ）において、循環ポンプ２０の駆動以前のフィードバックガス量はゼロであり、循環ポンプ２０の駆動以前のバーナー２への供給ガス量は、フィードフォワード供給ガス量（Ｆ／Ｆ量）のみと成している。ただし、循環ポンプ２０の駆動前にフィードバック供給ガス量がある場合には、上記ΔＦ／Ｂ量は、ポンプ駆動後フィードバックガス量（Ｆ／Ｂａ量）とポンプ駆動前フィードバックガス量（Ｆ／Ｂｂ量）との差、すなわち、（Ｆ／Ｂａ）−（Ｆ／Ｂｂ）となる。
【００４４】
本出願人は、このような追い焚き循環通路２４の水流有無によって異なるバーナー２へのフィードバック供給ガス量の違いに着目し、上記基準ガス量をデータ格納部４４に与え、この基準ガス量に基づいて追い焚き循環通路２４の水流有無判断が行えるようにしている。
【００４５】
追い焚き循環通路水流判断部４３は、上記ポンプ駆動前フィードバックガス量とポンプ駆動後フィードバックガス量とを比較し、ポンプ駆動後フィードバックガス量と駆動前フィードバックガス量との差が上記基準ガス量以下の時には追い焚き循環通路２４の湯水の流れがないと判断し、ポンプ駆動後フィードバックガス量と駆動前フィードバックガス量との差が上記基準ガス量を越えて大きい時には、追い焚き循環通路２４の湯水の流れがあると判断するものである。
【００４６】
追い焚き循環通路水流判断部４３は、出湯温度センサ３８の検出温度を時々刻々と取り込み、また、ポンプ駆動制御部３９から加えられる循環ポンプ２０の駆動信号を受けて、ポンプ駆動前フィードバックガス量とポンプ駆動後フィードバックガス量をフィードバック格納メモリ５９から取り出し、ポンプ駆動後フィードバックガス量とポンプ駆動前フィードバックガス量との差を、データ格納部４４に格納されている基準ガス量と比較して、上記のように追い焚き循環通路２４の湯水の流れの有無を判断する。そして、追い焚き循環通路水流判断部４３は、追い焚き循環通路２４の流れがあると判断した時には水流あり信号を出力し、追い焚き循環通路２４の湯水の流れがないと判断したときには水流無し信号を出力する。これら水流あり信号と水流無し信号は、追い焚き異常判断部４６と燃焼制御部４２とに加えられる。
【００４７】
フィードバック量クリア手段５８は、フィードバック格納メモリ５９に格納されているポンプ駆動後フィードバックガス量を、追い焚き運転終了以降にクリアするものである。
【００４８】
追い焚き異常判断部４６は、追い焚き循環通路水流判断部４３により追い焚き循環通路２４の湯水の流れがないと判断された時に、非給湯側異常信号としての追い焚き異常信号を出力する非給湯側異常運転異常判断部として機能するものである。追い焚き異常判断部４６は、追い焚き循環通路水流判断部４３から加えられる水流無し信号を受けて、追い焚き異常信号を追い焚き強制停止手段４５と追い焚き異常報知手段５０とに加える。
【００４９】
追い焚き強制停止手段４５は、追い焚き異常判断部４６から追い焚き異常信号が出力された時に、非給湯側運転である追い焚き運転を強制的に停止させる非給湯側強制停止手段として機能するものである。追い焚き強制停止手段４５は、追い焚き異常判断部４６から加えられる異常信号を受けて、燃焼制御部４２に追い焚き燃焼運転停止信号を加えて、追い焚き運転を強制的に停止させる。
【００５０】
追い焚き異常報知手段５０は、追い焚き異常判断部４６から追い焚き異常信号が出力された時に、非給湯側側運転である追い焚き運転の異常を報知する非給湯側異常報知手段として機能するものである。追い焚き異常報知手段５０は、追い焚き異常判断部４６から加えられる追い焚き異常信号を受けて、例えばブザーやランプの点灯又は点滅などの適宜の手段により追い焚き運転の異常を報知する。
【００５１】
本実施形態例は以上のように構成されており、本実施形態例でも、前記提案の給湯器と同様に制御装置４０による制御によって、給湯運転や湯張りや追い焚き運転がそれぞれ行われる。
【００５２】
また、本実施形態例では、給湯単独運転中であって、出湯温度センサ３８の検出温度とリモコン４１に設定されている給湯設定温度との差が上記許容範囲内の時に、図３のステップ１０１で、リモコン４１の操作などによって追い焚き運転指示が行われた時には、ステップ１０２でポンプ駆動制御部３９は追い焚き割り込みがあるか否かを判断し、追い焚き割り込みがあったと判断された時には、ステップ１０３で、循環ポンプ２０を駆動させる。そして、追い焚き循環通路水流判断部４３は、ポンプ駆動制御部３９による循環ポンプ２０の駆動信号を受けて、循環ポンプ２０の駆動以降に出湯温度センサ３８の検出温度が給湯設定温度となったか否かを判断し、出湯温度センサ３８の検出温度が給湯設定温度となった時には、ステップ１０５に進む。
【００５３】
ステップ１０５では、追い焚き循環通路水流判断部４３により、追い焚き循環通路２４の湯水の流れの有無の判断を行う。すなわち、追い焚き循環通路水流判断部４３は、フィードバック格納メモリ５９に格納されているポンプ駆動前フィードバックガス量とポンプ駆動後フィードバックガス量を比較し、ポンプ駆動前フィードバックガス量とポンプ駆動後フィードバックガス量との差（ΔＦ／Ｂ量）が基準ガス量α以下の時には、ステップ１０６で、追い焚き循環通路２４の湯水の流れが無い（残水無し）と判断し、ΔＦ／Ｂ量が基準ガス量αを越えて大きい時には、ステップ１０６ａで追い焚き循環通路２４の湯水の流れがある（残水有り）と判断する。
【００５４】
そして、追い焚き循環通路２４の湯水の流れが有ると判断した時には、追い焚き循環通路水流判断部４３は水流あり信号を出力し、水流あり信号を燃焼制御部４２に加え、燃焼制御部４２による給湯燃焼と追い焚き燃焼との同時燃焼制御が行われる。そして、図３のステップ１０７で、風呂温度センサ３７の検出温度が風呂設定温度となって追い焚きが終了したか否かの判断を行い、追い焚きが終了した時には、ステップ１０８で循環ポンプ２０を停止させるとともに、追い焚き終了信号をフィードバック量クリア手段に加え、フィードバッククリア手段５８によってフィードバック格納メモリ５９に格納されているポンプ駆動後フィードバックガス量をクリアする。
【００５５】
一方、スッテップ１０６ｂで、湯水循環流量検出手段４８によって、追い焚き循環通路２４の湯水の流れが無いと判断した時には、水流無し信号を追い焚き異常判断部４６に加え、追い焚き異常判断部４６によって、追い焚き運転の異常を判断する。そして、追い焚き異常判断部４６により追い焚き異常信号を出力して追い焚き強制停止手段４５と追い焚き異常報知手段５０に加え、追い焚き強制停止手段４５から燃焼制御部４２に追い焚き停止指令を加えて追い焚き運転を強制的に停止させるとともに、追い焚き異常報知手段５０による追い焚き異常報知を行う。
【００５６】
なお、一缶二水路給湯器において、燃焼制御部４２には、予め、給湯熱交換器３への入水温と給湯単独運転中におけるバーナー２へのフィードフォワード供給ガス量との関係データが与えられており、燃焼制御部４２は、この関係データと入水温度センサ３２の検出温度とに基づいてフィードフォワード供給ガス量制御を行っているが、燃焼制御部４２に、給湯熱交換器３への入水温と給湯及び追い焚きの同時燃焼時におけるバーナー２へのフィードフォワード供給ガス量との関係データも与えておき、図３のステップ１０６ａで、追い焚き循環通路２４の湯水の流れがあると判断された以降は、フィードフォワード供給ガス量制御を上記同時燃焼時におけるフィードフォワード供給ガス量制御データに切り換えて行うようにしても良い。
【００５７】
そして、この同時燃焼時におけるフィードフォワード供給ガス量と給湯単独燃焼時におけるフィードフォワード供給ガス量との差を前記フィードバック供給ガス量の差（ΔＦ／Ｂ量）とみなしても良い。もちろん、本実施形態例のように、フィードフォワード供給ガス量は、給湯単独燃焼時における制御データに基づいて制御し、フィードバック供給ガス量制御によって同時燃焼時のバーナー２への供給ガス量制御を行うようにしても良い。
【００５８】
本実施形態例によれば、上記動作により、ポンプ駆動前フィードバックガス量とポンプ駆動後フィードバックガス量との差と、上記基準ガス量とに基づいて追い焚き循環通路２４の湯水の流れの有無を判断するために、例えば追い焚き循環通路２４に流水スイッチ３６などを設けて追い焚き循環通路２４の水流有無判断を行う場合と異なり、浴槽湯水に含まれる髪等のゴミに左右されることなく正確に追い焚き循環通路２４の湯水の流れの有無を判断することができる。そのため、本実施形態例では、従来一缶二水路給湯器に設けられていた流水スイッチ３６を省略することが可能となり、流水スイッチ３６を省略することにより、その分だけ給湯器のシステム構成を簡略化することができるし、コストダウンを図ることができる。
【００５９】
また、本実施形態例では、追い焚き異常判断部４６を設けたために、追い焚き循環通路水流判断部４３による追い焚き循環通路２４の水流有無判断に基づいて追い焚きシステムの異常を判断することができるし、さらに、追い焚き強制停止手段４５を設け、追い焚き異常判断部４６から追い焚き異常信号が出力されたときには、追い焚き燃焼を停止させるために、追い焚き熱交換器４側の空焚きを確実に防止することができる。
【００６０】
さらに、本実施形態例によれば、追い焚き異常報知手段５０を設け、追い焚き異常判断部４６から追い焚き異常信号が出力されたときには、追い焚き燃焼の異常を報知するために、給湯器の利用者に、追い焚き循環通路２４の湯水の流れがない等といった追い焚きシステムの異常を報知し、注意を促すことができる。
【００６１】
さらに、本実施形態例では、フィードバッククリア手段５８を設け、フィードバック格納メモリ５９に格納されているポンプ駆動後フィードバックガス量を追い焚き運転終了以降にクリアするために、追い焚き運転終了以降の給湯運転時には前記フィードフォーワード供給ガス量に基づいてバーナー２への供給ガス量制御を正確に行うことができる。
【００６２】
図４には、本発明に係る一缶二水路給湯器の第２実施形態例に特有な制御構成がブロック図により示されており、同図において、上記第１実施形態例と同一名称部分には同一符号が付してある。本実施形態例が上記第１実施形態例と異なる特徴的なことは、追い焚き循環通路水流判断部４３の代わりに湯水循環流量検出手段４８を設け、追い焚き循環通路２４の湯水循環流量を検出する構成としたことである。また、本実施形態例では、制御装置４０に追い焚きランプ作動手段４９を設け、リモコン４１に追い焚き燃焼ランプ４７を設けている。
【００６３】
データ格納部４４には、上記ポンプ駆動前フィードバックガス量とポンプ駆動後フィードバックガス量との差と追い焚き循環通路２４の湯水循環流量との関係データが追い焚き循環通路２４の湯水温に対応させて予め与えられている。
【００６４】
前記の如く、一缶二水路風呂給湯器においては追い焚き循環通路２４の循環湯水は給湯熱交換器３の湯から熱量を奪うために、ポンプ駆動制御部３９により循環ポンプ２０を駆動させた時の給湯出湯温度変化は、追い焚き循環通路２４の湯水の流れの有無によって異なるものであるが、この出湯温度変化は、追い焚き循環通路２４の湯水の流れの有無のみならず、湯水の循環流量によっても異なり、さらに、循環湯水の温度によっても異なるものである。したがって、この温度変化を打ち消すように制御されるバーナー２へのフィードバック供給ガス量の増加制御も、追い焚き循環通路２４の湯水の循環流量によっても異なり、さらに、循環湯水の温度によっても異なるものである。
【００６５】
例えば、図５には、一缶二水路風呂給湯器において、給湯単独運転中であって出湯温度センサ３８の検出温度と給湯設定温度との差が予め定めた許容範囲内である時に、循環ポンプ２０を駆動させた時のバーナー２への供給ガス量を、追い焚き循環通路２４の湯水循環流量を変えて調べた結果が示されているが、追い焚き循環通路２４の湯水の温度が一定の時に、追い焚き循環通路２４の湯水循環流量が多い時には、バーナー２への供給ガス量が同図の特性線ａ1に示すようになるのに対し、追い焚き循環通路２４の湯水循環流量が特性線ａ1の場合よりも少ない時には、バーナー２への供給ガス量は同図の特性線ａ2に示すようになる。なお、同図の破線に示す特性線ｂは、追い焚き循環通路２４の湯水の流れが無い時のバーナー２への供給ガス量を示す。
【００６６】
これらの特性線ａ1，ａ2，ｂに示されるように、バーナー２への供給ガス量は追い焚き循環通路２４の湯水循環流量によって異なり、上記ポンプ駆動後フィードバックガス量とポンプ駆動前フィードバックガス量との差（ΔＦ／Ｂ量）は、追い焚き循環通路２４の湯水循環流量が多い時には同図に示すΔＦ／Ｂ1となり、追い焚き循環通路２４の湯水循環流量が少ない時には同図のΔＦ／Ｂ2となる（ΔＦ／Ｂ1＞ΔＦ／Ｂ2）。
【００６７】
一方、追い焚き循環通路２４の湯水循環流量が同じであっても、追い焚き循環通路２４の湯水温が異なると、循環ポンプ２０を駆動した時の追い焚き循環通路２４内の湯水により給湯熱交換器３の湯が奪われる吸熱量が異なるために、給湯出湯温度変化も異なり、この給湯出湯温度変化を無くすために行われるバーナー２へのフィードバック供給ガス量の増加制御量も異なる。すなわち、追い焚き循環通路２４内の湯水温が低くなるにつれて、給湯熱交換器３内の湯から追い焚き循環通路２４の循環湯水が奪う熱量は大きくなるために、それに伴う給湯出湯温度変化も大きくなり、この給湯出湯温度変化を無くすためにバーナー２へ供給されるフィードバックガス量の増加量も大きくなる。
【００６８】
本出願人は、以上のような追い焚き循環通路２４の湯水循環流量と湯水温の違いによって、ポンプ駆動制御部３９による循環ポンプ２０の駆動以降に行われるバーナー２へのフィードバック供給ガス量増加制御量が異なることに着目し、ポンプ駆動前フィードバックガス量とポンプ駆動後フィードバックガス量との差であるΔＦ／Ｂ量と追い焚き循環通路２４の湯水循環流量との関係データを、追い焚き循環通路２４を循環する湯水の温度に対応させて予め実験等によって求め、例えば図６に示すようなグラフデータや表データ、演算データによって与えている。なお、同図において、Ｔ１，Ｔ２，Ｔ３はそれぞれ追い焚き循環通路２４の湯水温を示し、Ｔ１＞Ｔ２＞Ｔ３である。
【００６９】
湯水循環流量検出手段４８は、出湯温度センサ３８により検出される検出温度と、風呂温度センサ３７によって検出される検出温度を時々刻々と取り込み、ポンプ駆動制御部３９から加えられる循環ポンプ２０の駆動信号を受けて、上記ポンプ駆動前フィードバックガス量とポンプ駆動後フィードバックガス量とをフィードバック格納メモリ５９から取り出して検出し、この検出したポンプ駆動前フィードバックガス量とポンプ駆動後フィードバックガス量と、上記関係データと、風呂温度センサ３８によって検出される追い焚き循環通路２４の湯水温とに基づいて追い焚き循環通路２４の湯水循環流量を検出する。この検出した追い焚き循環通路２４の湯水循環流量は、燃焼制御部４２と追い焚きランプ作動手段４９と追い焚き異常判断部４６とに加えられる。
【００７０】
追い焚きランプ作動手段４９は、追い焚き指示が与えられてから湯水循環流量検出手段４８によって検出される追い焚き循環通路２４の湯水循環流量が予め定められた作動流量以上となったことを最初に確認した時に、追い焚き燃焼ランプ５０を報知動作させて、この報知動作を追い焚き運転終了まで動作させるものである。
【００７１】
追い焚きランプ作動手段４９には図示されていないメモリ部が設けられており、このメモリ部に上記予め定められた作動流量の値が格納されており、追い焚きランプ作動手段４９は、湯水循環流量検出手段４８から加えられる追い焚き循環通路２４の湯水循環流量とメモリ部に格納されている作動流量と比較し、追い焚き循環通路２４の湯水循環流量が作動流量以上となったことを最初に確認した時に、追い焚き燃焼ランプ４７を、例えば点灯等の動作により報知動作させる。そして、燃焼制御部４２による追い焚き運転が終了した時に、この追い焚き終了信号を燃焼制御部４２から受けて、追い焚き燃焼ランプ４７の報知動作を停止させる（追い焚き燃焼ランプ４７を消灯させる）。
【００７２】
追い焚き異常判断部４６は、湯水循環流量検出手段４８から加えられる追い焚き循環通路２４の湯水循環流量の値を受けて、湯水循環流量が０のとき、すなわち、追い焚き循環通路２４に湯水が無い、又は、湯水の流れが無いと検出された時には、追い焚き異常信号を出力し、追い焚き強制停止手段４５と追い焚き異常報知手段５０とに加える。
【００７３】
追い焚き強制停止手段４５と追い焚き異常報知手段５０の構成及び動作は、上記第１実施形態例と同様であるので、その説明は省略する。
【００７４】
本実施形態例は以上のように構成されており、本実施形態例でも、上記提案例の給湯器及び上記第１実施形態例の給湯器と同様に、給湯運転や湯張り運転や追い焚き運転が行われる。
【００７５】
また、本実施形態例では、図７に示すフローチャートに従って、追い焚き循環通路２４の湯水循環流量検出動作が行われる。なお、図７において、図３に示した上記第１実施形態例における追い焚き循環通路２４の水流有無判断動作と同様の動作には同じステップ番号が付してある。図７に示すように、本実施形態例でも、上記第１実施形態例と同様の、ステップ１０３までの動作を行い、次に図７のステップ１０４で、本実施形態例では、湯水循環流量検出手段４８により、出湯温度センサ３８の検出温度が給湯設定温度となったか否かの判断を行う。そして、出湯温度センサ３８の検出温度が給湯設定温度となった時に、ステップ２０１で、湯水循環流量検出手段４８により、追い焚き循環通路２４の湯水循環流量検出動作を行う。
【００７６】
この動作は、前記の如く、例えば図６に示したような関係データと、前記ポンプ駆動前フィードバックガス量とポンプ駆動後フィードバックガス量との差と、風呂温度センサ３７の検出温度とに基づいて行うものである。例えば、湯水循環流量検出手段４８は、検出したポンプ駆動前フィードバックガス量とポンプ駆動後フィードバックガス量との差（ΔＦ／Ｂ量）が同図のＡであり、この時の風呂温度センサ３７の検出温度がＴ1の時には、湯水循環流量はＱ1であると検出し、風呂温度センサ３７の検出温度がＴ2の時には、追い焚き循環通路２４の湯水循環流量はＱ2であると検出する。
【００７７】
そして、この湯水循環流量手段４８で検出した追い焚き循環通路２４の湯水循環流量の値は、燃焼制御部４２と追い焚きランプ作動手段４９とに加えられ、追い焚きランプ作動手段４９は、この追い焚き循環通路２４の湯水循環流量が上記作動流量以上となったことを最初に確認した時に、追い焚き燃焼ランプ４７を点灯させて報知動作させる。
【００７８】
次に、図７のステップ１０７以降の動作が上記第１実施形態例と同様に行われ、且つ、本実施形態例では、追い焚き運転が終了した時に、追い焚きランプ作動手段４９により、追い焚き燃焼ランプ４７の消灯を行い、追い焚き燃焼ランプ４７の報知動作を停止させる。
【００７９】
本実施形態例によれば、上記動作により、上記関係データと、検出されるポンプ駆動前フィードバックガス量とポンプ駆動後フィードバックガス量と、風呂温度センサ３７によって検出される追い焚き循環通路２４の湯水温とに基づいて、追い焚き循環通路２４の湯水循環流量を検出するようにしたため、例えば追い焚き循環通路２４にボール式水量センサなどを直接設ける場合と異なり、浴槽湯水に含まれる髪等のゴミに左右されることなく、追い焚き循環通路２４の湯水循環流量を正確に検出することが可能となり、追い焚き循環通路２４の湯水の流れの有無も検出可能となる。
【００８０】
そのため、本実施形態例によれば、上記第１実施形態例と同様の効果を奏することができるし、さらに、追い焚き循環通路２４の湯水循環流量を正確に検出し、例えばこの流量に基づき、追い焚き熱交換器４側と給湯熱交換器３側の吸熱比率を求め、追い焚きと給湯の同時燃焼時の燃焼制御も正確に行うことができる。
【００８１】
また、本実施形態例によれば、追い焚き循環通路２４の湯水循環流量を正確に検出し、この流量が予め定められた作動流量となったときに、追い焚きランプ作動手段４９によって追い焚き燃焼ランプ５０を点灯させることにより、追い焚き循環通路２４の湯水循環流量が前記作動流量以上で確実に追い焚き燃焼運転が行われているときにのみ、追い焚き燃焼ランプ５０を点灯させて、追い焚き燃焼運転が行われていることを給湯器の利用者に報知することができる。
【００８２】
なお、本発明は上記実施形態例に限定されることはなく、様々な実施の態様を採り得る。例えば、上記各実施形態例では、ポンプ駆動制御部３９は、給湯単独運転中であって出湯温度センサ３８の検出温度と給湯設定温度との差が予め定められた許容範囲内の時であって、追い焚き運転指示を受けた時に循環ポンプ２０を駆動させたが、給湯器に、追い焚き循環通路２４の湯水の流れの有無を検出する追い焚き循環通路水流有無判断モード等の非給湯側流れ有無判断モードを設け、ポンプ駆動制御部３９は、上記追い焚き運転指示が与えられた時に循環ポンプ２０を駆動させる代わりに、この非給湯側流れ有無判断モードの動作指令を受けて循環ポンプ２０を駆動させるようにしても良い。このように、非給湯側流れ有無判断モードを給湯器に設けることにより、給湯単独運転中に、例えばリモコン４１等の操作によって、非給湯側流れ有無判断モードの動作指令を給湯器に与えることにより、任意に追い焚き循環通路２４の水流有無判断を行うことができる。
【００８３】
また、上記実施形態例では、図３、５のステップ１０７で、追い焚き運転が終了したと判断された時には、ステップ１０８で、循環ポンプ２０を停止させるとともに、ポンプ駆動後フィードバックガス量をクリアするようにしたが、フィードフォワード供給ガス量制御を、給湯単独運転時におけるフィードフォワード供給ガス量制御から同時燃焼時におけるフィードフォワード供給ガス量制御に切り換える一缶二水路風呂給湯器においては、フィードフォワード供給ガス量を同時燃焼時における制御データに基づく制御から給湯単独運転時におけるフィードフォワード供給ガス量制御に切り換えるようにしても良い。
【００８４】
さらに、上記各実施形態例では、追い焚き強制停止手段４５を設けて、追い焚き異常判断部４６から追い焚き異常信号が出力された時に追い焚き運転を強制的に停止させるようにし、且つ、追い焚き異常報知手段５０を設け、追い焚き異常判断部４６から追い焚き異常信号が出力された時に追い焚き運転の異常を報知するようにしたが、追い焚き強制停止手段４５と追い焚き異常報知手段５０の一方又は両方は省略することができる。
【００８５】
さらに、上記各実施形態例では、追い焚き異常判断部４６を設け、追い焚き循環通路水流判断部４３や湯水循環流量検出手段４８により追い焚き循環通路２４の湯水が無い、又は湯水の流れが無いと判断された時には、追い焚き異常信号を出力するようにしたが、追い焚き異常判断部４６は省略することもできる。
【００８６】
さらに、上記各実施形態例では、フィードバック量クリア手段５８を設け、追い焚き運転終了以降にポンプ駆動後フィードバックガス量をクリアするようにしたが、フィードバック量クリア手段５８は省略することもできる。
【００８７】
さらに、上記第２実施形態例では、追い焚きランプ作動手段４９を設け、追い焚き循環通路２４の湯水循環流量が予め定められた作動流量異常となったことを最初に確認した時に追い焚き燃焼ランプ４７を報知動作させてこの報知動作を追い焚き運転終了まで動作させるようにしたが、追い焚きランプ作動手段による追い焚き燃焼ランプの報知動作は上記のような動作に限定されることはなく適宜設定されるものである。また、追い焚きランプ作動手段４９は省略することもできる。
【００８８】
さらに、上記実施形態例では、追い焚き循環通路水流判断部４５と湯水循環流量検出手段４６の一方を設けて給湯器を構成したが、これら両方を設けて給湯器を構成してもよい。
【００８９】
さらに、上記各実施形態例は図１０に示す一缶二水路風呂給湯器を例にして説明したが、一缶二水路タイプで、給湯熱交換器の湯温を検出する給湯熱交換器湯温検出手段が設けられ、給湯機能と追い焚き機能を備えている一缶二水路風呂給湯器であれば、この発明を適用することができる。
【００９０】
さらに、本発明は、上記実施形態例のような一缶二水路風呂給湯器にのみ適用されるとは限らず、例えば図９,１０に示したような給湯暖房機等のように、給湯熱交換器３と、循環ポンプ２０を備えた非給湯側循環通路に組み込まれ非給湯側循環通路を循環する熱媒体を加熱する非給湯側熱交換器等を有し、給湯熱交換器と非給湯側熱交換器が一体化され、給湯熱交換器と非給湯側熱交換器を共通に加熱するバーナーが設けられており、給湯運転機能と非給湯側熱交換器を有する様々な一缶二水路給湯器に広く適用されるものである。
【００９１】
なお、図１０に示したような暖房・給湯機に本発明を適用した場合、以下のようなメリットがある。例えば、同図における全ての放熱器５３ａ,５３ｂ,５３ｃが運転していないときには、暖房オン・オフバルブ５２ａ,５２ｂ,５２ｃは全て閉じられているため、暖房用循環通路５１を通る熱媒体は、バイパス通路５６しか流れない。そのため、暖房用循環通路５１を通る熱媒体の循環流量は少ない。一方、全ての放熱器５３ａ,５３ｂ,５３ｃが運転しているときには、暖房用循環通路５１を通る熱媒体の循環流量は最も多くなる。そこで、非給湯側の循環流量検出手段の検出流量に基づいて、暖房用循環通路５１の循環流量が例えば５リットルの時には放熱器５３の運転は行われていない、１０リットルの時は１台の放熱器５３が運転されている、２０リットルの時には３台の放熱器５３が運転されているといったように、運転されている放熱器５３の台数を知ることができる。
【００９２】
また、上記のように、放熱器５３の運転台数が分かるので、燃焼熱量と給湯熱交湯温センサ３３の温度情報から、放熱器５３の運転能力が分かる。例えば、放熱器５３が１台しか運転されていないが、その能力がファン最大で運転しているとか、３台運転されているが３台ともファン能力が小さいとかといったことを知ることができる。
【００９３】
さらに、図１０に示したような給湯・暖房機においては、暖房オン・オフバルブ５２は手動で開閉する構成のものと電磁弁のものとがあるが、手動で開閉するタイプのものにおいては、従来は、どの暖房オン・オフバルブ５２が開なのか閉なのかが分からないため、例えば、常に、リモコンの設定温度に近い温度の熱媒体を暖房用循環通路５１に循環させていた。
【００９４】
それに対し、本発明を図１０に示した装置に適用すると、放熱器５３の運転台数が分かるので、すべての放熱器５３が運転されていないときには、暖房用循環通路５１に循環させる熱媒体の温度がリモコンの設定温度よりも低くなるように制御し、暖房用循環通路５１の循環流量から放熱器５３の運転が確認されたときには、放熱器５３の運転台数（暖房用循環通路５１の循環流量）に応じて暖房用循環通路５１の熱媒体の温度が高くなるように制御することも可能となり、このようにすると、従来のように、放熱器５３の運転台数に拘わらず、暖房用循環通路５１の熱媒体の温度を高く制御する場合に比べて省エネルギー化を図ることができる。
【００９５】
さらに、給湯暖房機でも風呂給湯器でも、非給湯側循環通路の配管の長さは工事後にならないとわからないが、本発明により、非給湯側循環通路の熱媒体の循環流量を検出した結果と、予め分かっている非給湯側循環通路の配管の径から求められる熱媒体の流速が、例えば２ｍ／ｓ以上となって、エロージョン・コロージョンの発生する危険があると判断される時には、循環ポンプの能力を落とす等して非給湯側循環通路の熱媒体流速を落とすといった対策を施すことができる。
【００９６】
さらに、たとえば、風呂給湯器において、循環金具にごみ詰まりが生じたときにも、追い炊き循環通路の循環流量が変化(低下)するので、その変化状況によって循環金具のごみ詰まりの状況も知ることが可能となり、利用者に知らせることができる。
【００９７】
【発明の効果】
本発明によれば、給湯単独運転中であって給湯出湯温度と給湯設定温度との差が予め定められた許容範囲内の時に循環ポンプを駆動させ、非給湯側循環通路に熱媒体の流れがある時にこの循環ポンプ駆動によって生じる給湯出湯温度の低下を抑制するために行われるバーナーへのフィードバック供給ガス量増加制御に基づき、本第１，第２の発明においては、このフィードバック供給ガス量の増加量（ポンプ駆動前フィードバックガス量とポンプ駆動後フィードバックガス量との差）を予め与えられる基準ガス量と比較して非給湯側循環通路の熱媒体の流れの有無を判断するようにしたものであるから、追い焚き循環通路等の非給湯側循環通路の熱媒体に髪等のゴミが含まれていたとしても、これらのゴミに左右されることなく正確に非給湯側循環通路の熱媒体の流れの有無を判断することができる。
【００９８】
また、本第３の発明においては、上記第１，第２の発明と同様に、上記フィードバック供給ガス量の増加量に基づき、予め与えられる非給湯側循環通路の熱媒体の温度に対応したフィードバック供給ガス量の増加量と非給湯側循環通路の熱媒体の循環流量との関係データと、検出されるフィードバック供給ガス量の増加量と非給湯側循環通路の熱媒体の温度とに基づいて非給湯側循環通路の熱媒体の循環流量を検出するようにしたものであるから、上記第１，第２の発明と同様に、非給湯側循環通路に含まれるゴミ等に左右されることなく、正確に非給湯側循環通路の熱媒体の循環流量を検出することができる。そのため、本第３の発明によれば、非給湯側循環通路の熱媒体の流れの有無も正確に検出することができる。
【００９９】
以上のように、本発明によれば、非給湯側循環通路の熱媒体の有無を正確に検出できるために、一缶二水路給湯器において、従来非給湯側循環通路に設けられていた流水スイッチ等の熱媒体の流れの有無を検知する手段を省略することも可能となり、その分だけ給湯器のシステム構成を簡略化することが可能となり、コストダウンを図ることができる。
【０１００】
そして、本第３の発明によれば、上記のように、非給湯側循環通路を循環する熱媒体の流量を正確に検出することができるために、例えば検出した流量に基づいて、非給湯側熱交換器側と給湯熱交換器側の吸熱比率を正確に求めることが可能となり、求めた吸熱比率に基づいて、非給湯側燃焼と給湯燃焼の同時燃焼時における燃焼制御を的確に行えるようにすることができる。
【０１０１】
さらに、上記非給湯側流れ有無判断部により非給湯側循環通路の熱媒体の流れがないと判断されたときには非給湯側異常信号を出力する非給湯側運転異常判断部が設けられている本第１，第２の発明によれば、非給湯側運転異常判断部によって非給湯側運転の異常を正確に判断することができる。
【０１０２】
そして、この非給湯側運転異常判断部から非給湯側異常信号が出力されたときに非給湯側運転を強制的に停止させる非給湯側強制停止手段が設けられている本発明によれば、非給湯側循環通路に熱媒体の流れが無く、非給湯側運転の異常が判断された時に非給湯側運転を強制的に停止させることにより、非給湯側システムの空焚きを防ぐことができる。
【０１０３】
さらに、上記非給湯側運転異常判断部から非給湯側異常信号が出力されたときに非給湯側の運転の異常を報知する非給湯側異常報知手段が設けられている本発明によれば、非給湯側運転の異常が判断された時に非給湯側運転の異常報知することにより、給湯器の利用者に非給湯側システムの異常を報知して対処を促すことができる。
【０１０４】
さらに、非給湯側運転指示が与えられてから循環流量検出手段によって検出される非給湯側循環通路の熱媒体の循環流量が予め定められた作動流量以上となったことを最初に確認したときに非給湯側燃焼ランプを報知動作させて該報知動作を非給湯側運転終了まで動作させる非給湯側ランプ作動手段を設けた本第３の発明よれば、非給湯側循環通路の熱媒体の循環流量が作動流量となったことが確認されてから追い焚き燃焼ランプを報知動作させるために、非給湯側循環通路の熱媒体の循環流量が確実に作動流量以上となってから非給湯側運転終了まで非給湯側ランプを報知動作させて給湯器の利用者に非給湯側運転中であることを報知することができる。
【０１０５】
さらに、上記ポンプ駆動後フィードバックガス量はフィードバックフィードバック格納メモリに格納される構成とし、該フィードバック格納メモリに格納されているポンプ駆動後フィードバックガス量を非給湯側運転終了以降にクリアするフィードバック量クリア手段を設けた本第１，第３の発明によれば、非給湯側循環通路の熱媒体の流れの有無、あるいは、熱媒体の循環流量を確認した後に、ポンプ駆動後フィードバックガス量をクリアすることにより、次回の給湯単独運転におけるバーナーへの供給ガス量制御を非常にスムーズに行うことができる。
【０１０６】
さらに、非給湯側循環通路は追い焚き循環通路とし、非給湯側熱交換器は追い焚き熱交換器とし、上記追い焚き循環通路を循環する熱媒体は湯水とし、非給湯側の運転は風呂の追い焚き運転とした本発明によれば、以上のような優れた効果を奏する一缶二水路風呂給湯器を提供することができる。
【図面の簡単な説明】
【図１】本発明に係る一缶二水路給湯器の第１実施形態例の制御構成を示すブロック図である。
【図２】上記実施形態例において、給湯単独運転中であって給湯出湯温度がほぼ一定の時に追い焚き循環通路の循環ポンプをオンさせた時の給湯出湯温度変化とバーナーへの供給ガス量変化を、追い焚き循環通路の湯水の有無により比較して示すグラフである。
【図３】上記実施形態例の追い焚き循環通路の湯水の有無の判断動作を示すフローチャートである。
【図４】本発明に係る一缶二水路給湯器の第２実施形態例の制御構成を示すブロック図である。
【図５】上記実施形態例において、給湯単独運転中であって給湯出湯温度がほぼ一定の時に追い焚き循環通路の循環ポンプを駆動させた時のバーナーへの供給ガス量変化を、追い焚き循環通路の湯水循環流量の違いにより比較して示すグラフである。
【図６】上記第２実施形態例の一缶二水路給湯器に与えられるポンプ駆動前フィードバックガス量とポンプ駆動後フィードバックガス量との差（ΔＦ／Ｂ量）と追い焚き循環通路の湯水循環流量との関係データを示すグラフである。
【図７】上記第２実施形態例における追い焚き循環通路湯水循環流量検出動作を示すフローチャートである。
【図８】一缶二水路風呂給湯器のモデル例を示すシステム構成図である。
【図９】一缶二水路給湯器である給湯暖房機のモデル例の要部構成を示すシステム図である。
【図１０】給湯暖房機の別の例の要部構成を示すシステム図である。
【符号の説明】
３９  ポンプ駆動制御部
４２  燃焼制御部
４３  追い焚き循環通路水流判断部
４４  データ格納部
４５  追い焚き強制停止手段
４６  追い焚き以上判断部
４８  湯水循環流量検出手段
４９  追い焚きランプ作動手段
５０  追い焚き異常報知手段
５８  フィードバック量クリア手段
【図１】
0003834405.tif 000002
【図２】
0003834405.tif 000003
【図３】
0003834405.tif 000004
【図４】
0003834405.tif 000005
【図５】
0003834405.tif 000006
【図６】
0003834405.tif 000007
【図７】
0003834405.tif 000008
【図８】
0003834405.tif 000009
【図９】
0003834405.tif 000010
【図１０】
0003834405.tif 000011